(57)【要約】【課題】強風による上蓋の振動の防止対策を施していない既設の避難梯子装置に対して簡易的に追加で取り付けることができる係止具の提供。【解決手段】上方及び下方に開口を有する枠と、前記枠内に折り畳まれた状態で収納される梯子と、前記枠に回動自在に取り付けられて前記枠の上方の開口を覆う上蓋と、前記枠に回動自在に取り付けられて前記枠の下方の開口を覆う下蓋と、を具備する避難梯子装置における、前記上蓋と前記枠とを着脱自在に係止する弾性変形可能な係止具であって、前記上蓋に固定される固定片と、前記固定片から前記枠の外側を前記下蓋に向かって延びる垂下片と、前記垂下片から前記枠の外側に向かって延び、前記上蓋と前記枠との間から露出する操作片と、前記枠に形成された孔に係合するとともに前記操作片の押上操作に伴って前記孔との係合状態を解除するように、前記垂下片から前記枠に向かって突出する突起と、を備えることを特徴とする係止具。【選択図】図２
2018112013.tif 000002
【特許請求の範囲】
【請求項１】
上方及び下方に開口を有する枠と、前記枠内に折り畳まれた状態で収納される梯子と、前記枠に回動自在に取り付けられて前記枠の上方の開口を覆う上蓋と、前記枠に回動自在に取り付けられて前記枠の下方の開口を覆う下蓋と、を具備する避難梯子装置における、前記上蓋と前記枠とを着脱自在に係止する弾性変形可能な係止具であって、
前記上蓋に固定される固定片と、
前記固定片から前記枠の外側を前記下蓋に向かって延びる垂下片と、
前記垂下片から前記枠の外側に向かって延び、前記上蓋と前記枠との間から露出する操作片と、
前記枠に形成された孔に係合するとともに前記操作片の押上操作に伴って前記孔との係合状態を解除するように、前記垂下片から前記枠に向かって突出する突起と、
を備えることを特徴とする係止具。
【請求項２】
前記突起の前記下蓋側の先端は丸みを帯びていること、
を特徴とする請求項１に記載の係止具。
【請求項３】
前記突起は、先端が前記上蓋側を向くように傾斜していること、
を特徴とする請求項１又は２に記載の係止具。
【請求項４】
上方及び下方に開口を有する枠と、
前記枠内に折り畳まれた状態で収納される梯子と、
前記枠に回動自在に取り付けられて前記枠の上方の開口を覆う上蓋と、
前記枠に回動自在に取り付けられて前記枠の下方の開口を覆う下蓋と、
前記上蓋と前記枠とを着脱自在に係止する弾性変形可能な係止具と、を具備し、
前記係止具は、
前記上蓋に固定される固定片と、
前記固定片から前記枠の外側を前記下蓋に向かって延びる垂下片と、
前記垂下片から前記枠の外側に向かって延び、前記上蓋と前記枠との間から露出する操作片と、
前記枠に形成された孔に係合するとともに前記操作片の押上操作に伴って前記孔との係合状態を解除するように、前記垂下片から前記枠に向かって突出する突起と、
を有することを特徴とする避難梯子装置。
【発明の詳細な説明】
【技術分野】
【０００１】
本発明は、避難梯子装置における枠と上蓋とを着脱自在に係止する係止具、及びこれを備えた避難梯子装置に関する。
【背景技術】
【０００２】
集合住宅のベランダやバルコニーなどの床面には、火災発生時などの緊急時に階下に避難できるように避難梯子装置が備え付けられている。避難梯子装置は、折りたたみ式の梯子と、梯子を収納する枠と、梯子の使用時以外には枠の上下の開口部を閉じておく上蓋及び下蓋と、を含んで構成されている。
【０００３】
例えば高層建築物の高層階では、強風が吹くため、蓋の振動とそれに伴う騒音が問題となる。特に、上蓋は、取っ手を持ち上げる際に手をかけるための隙間を枠との間に有しているため、その隙間に風が吹き込むと、上蓋が上下に振動し、騒音を引き起こしていた。
【０００４】
この問題に対処するべく、特許文献１は、上蓋に設けられ係合孔を有する係止部材と、枠の周壁に設けられ当該係合孔と係合可能な傾斜係合凸部を有する係合部材と、を備えた係脱機構を開示している。
【先行技術文献】
【特許文献】
【０００５】
【特許文献１】特許第５０６２９００号公報
【発明の概要】
【発明が解決しようとする課題】
【０００６】
しかしながら、このような強風対策では、上蓋側に係止部材を、枠側には係合部材を、それぞれ取り付けることから、前述した係脱機構を既設の避難梯子装置に追加するためには、避難梯子装置を全体的に交換する必要があり、施工の手間及びコストの観点から現実的ではない。
【０００７】
そこで、本発明は、強風による上蓋の振動の防止対策を施していない既設の避難梯子装置に対して簡易的に追加で取り付けることができる係止具、及び、かかる係止具を備えた避難梯子装置を提供することを目的とする。
【課題を解決するための手段】
【０００８】
上述した課題を解決すべく、本発明は、上方及び下方に開口を有する枠と、前記枠内に折り畳まれた状態で収納される梯子と、前記枠に回動自在に取り付けられて前記枠の上方の開口を覆う上蓋と、前記枠に回動自在に取り付けられて前記枠の下方の開口を覆う下蓋と、を具備する避難梯子装置における、前記上蓋と前記枠とを着脱自在に係止する弾性変形可能な係止具であって、前記上蓋に固定される固定片と、前記固定片から前記枠の外側を前記下蓋に向かって延びる垂下片と、前記垂下片から前記枠の外側に向かって延び、前記上蓋と前記枠との間から露出する操作片と、前記枠に形成された孔に係合するとともに前記操作片の押上操作に伴って前記孔との係合状態を解除するように、前記垂下片から前記枠に向かって突出する突起と、を備えることを特徴とする係止具を提供する。
【０００９】
上記のような構成を有する本発明の係止具では、前記突起の前記下蓋側の先端は丸みを帯びていること、が好ましい。
【００１０】
上記のような構成を有する本発明の係止具では、前記突起は、先端が前記上蓋側を向くように傾斜していること、が好ましい。
【００１１】
また、本発明は、上方及び下方に開口を有する枠と、前記枠内に折り畳まれた状態で収納される梯子と、前記枠に回動自在に取り付けられて前記枠の上方の開口を覆う上蓋と、前記枠に回動自在に取り付けられて前記枠の下方の開口を覆う下蓋と、前記上蓋と前記枠とを着脱自在に係止する弾性変形可能な係止具と、を具備し、前記係止具は、前記上蓋に固定される固定片と、前記固定片から前記枠の外側を前記下蓋に向かって延びる垂下片と、前記垂下片から前記枠の外側に向かって延び、前記上蓋と前記枠との間から露出する操作片と、前記枠に形成された孔に係合するとともに前記操作片の押上操作に伴って前記孔との係合状態を解除するように、前記垂下片から前記枠に向かって突出する突起と、を有することを特徴とする避難梯子装置避難梯子装置を提供する。
【発明の効果】
【００１２】
本発明によれば、強風による上蓋の振動の防止対策を施していない既設の避難梯子装置に対して簡易的に追加で取り付けることができる係止具、及び、かかる係止具を備えた避難梯子装置を提供することができる。
【図面の簡単な説明】
【００１３】
【図１】本実施形態に係る避難梯子装置を概略的に示す断面図である。
【図２】図１の領域Ａの拡大図である。
【図３】本実施形態における係止具の斜視図である。
【図４】図３の係止具を突起片の整列方向から見た図である。
【図５】避難梯子装置の上蓋を開く手順を示す図である。
【発明を実施するための形態】
【００１４】
以下、本発明の代表的な実施形態に係る避難梯子装置及び係止具を、図面を参照しつつ詳細に説明する。ただし、本発明はこれら図面に限定されるものではない。また、図面は、本発明を概念的に説明するためのものであるから、理解容易のために、必要に応じて寸法、比又は数を誇張又は簡略化して表している場合もある。
【００１５】
［避難梯子装置の全体構成］
図１及び図２を参照して、避難梯子装置１の全体構成を説明する。
避難梯子装置１は、例えば高層建築物のベランダやバルコニーなどの床面に設置され、火災などの緊急時に折り畳み式の梯子３を階下に伸長させる避難装置である。避難梯子装置１は、全体として箱型を呈しており、図１に示すように、枠２、梯子３、連結機構４、上蓋５、下蓋６、及び係止具７を含んで構成される。
【００１６】
枠２は、梯子３及び連結機構４を収納する枠体である。枠２は、互いに対向する２組の周壁から構成され、鉛直上向き及び鉛直下向きに開口している。図２に示すように、上蓋５の自由端５２に対応する枠２の周壁２１の上縁近傍には、係止具７の突起７４が挿入される孔２２が形成されている。孔２２については、係止具７との関係で改めて説明する。
【００１７】
梯子３は、枠２内に折り畳まれた状態で収納され、上蓋５及び下蓋６が開かれると階下に向かって伸長する。連結機構４は、上蓋５と下蓋６とを連結している。
【００１８】
上蓋５は、枠２の上側の開口部を覆う蓋体であり、軸５１を介して枠２に取り付けられている。軸５１は枠２の上縁を形成する１つの辺に沿って設けられているから、上蓋５は、軸５１を中心として図１の矢印Ｒ１の方向に回動することが可能である。なお、上蓋５における軸５１とは反対側の自由端５２側には、係止具７を固定するためのネジ孔５３が形成されている。
【００１９】
下蓋６は、枠２の下側の開口部を覆う蓋体であり、軸６１を介して枠２に取り付けられている。軸６１は枠２の下縁を形成する１つの辺に沿って設けられているから、下蓋６は、図１の矢印Ｒ２の方向に回動することが可能である。
【００２０】
係止具７は、上蓋５に固定される弾性変形可能な部材であり、上蓋５と枠２とを着脱自在に係止する。係止具７の詳細は追って述べる。
【００２１】
［係止具の構成］
図２〜図４を参照して、係止具７を詳細に説明する。
係止具７は、上述したように上蓋５と枠２とを着脱自在に係止する部材であり、例えばステンレス鋼（例えばＳＵＳ３０４）や鉄のようなバネ鋼で作製される。この係止具７は、取扱いや係止解除の容易の観点から、図５の（ｂ）及び（ｃ）における矢印で示される向きに力が働いた際に、ある程度弾性変形可能ではあるが、当該力が解除された際には、元の形状に戻る性質を有していてよい。このような係止具７は、図３に示すように、固定片７１、垂下片７２、操作片７３、及び突起７４を含む。
【００２２】
固定片７１は、係止具７が上蓋５に固定されるように、上蓋５の内面（下面）に当接する板状の部分である。本実施形態において、固定片７１には、ネジ孔７５（孔７５Ａ、７５Ｂ）が形成されている。図２に示すように、ネジ孔７５には、上蓋５のネジ孔５３に重ね合わされた状態でネジ７６が挿通され、これにより係止具７が上蓋５に取り付けられる。ただし、上蓋５と係止具７との固定手段はネジに限られず、例えば溶接でもよい。
【００２３】
垂下片７２は、図２に示すように、固定片７１と一体的に形成され、枠２の周壁２１の外側を固定片７１から下蓋６に向かって垂下する板状の部分である。垂下片７２には、枠２の周壁２１に向かって突出する突起７４が設けられている。突起７４については後述する。
【００２４】
操作片７３は、垂下片７２と一体的に形成され、垂下片７２の下端から枠２の外側に延びる板状の部分である。操作片７３は、上蓋５及び枠２の間から露出しており、操作者による操作片７３の操作を可能にしている。
【００２５】
突起７４は、上述したように垂下片７２から枠２（周壁２１）に向かって突出する。突起７４は、図２に示すように、係止具７が上蓋５と枠２とを係止した状態において、枠２の孔２２と係合する。本実施形態において、突起７４は、図３に示すように、垂下片７２の長手方向に沿って整列した複数の突出片７４Ａ、７４Ｂを含む。このように突起７４が複数の突出片７４Ａ、７４Ｂを含むことで、上蓋５と枠２との係止状態を確実に保持することができ、したがって強風時における上蓋５の振動による騒音を効果的に抑止することができる。
【００２６】
図４に示すように、突起７４の先端部７６は、下蓋６側において丸みを帯びた曲面形状を呈している。したがって、係止する場合も係止を解除する場合も、突起７４の先端部７６が枠２の孔２２の下縁に引っ掛かることなく、スムーズな上蓋５の開閉操作を可能にしている。
【００２７】
突起７４は、本実施形態においては、先端部７６が上蓋５側を向くように、垂下片７２に対して傾いている。突起７４の垂下片７２の延在方向（鉛直下向き）に対する傾きαは、好ましくは９０度以上、１３５度以下であり、本実施形態では約１２０度である。このように突起７４が上蓋５側に傾くことで、風やいたずらにより上蓋５に意図しない上向きの力が作用した場合に、上蓋５と枠２との係止状態を確実に保持することができる。また、かかる係止状態において突起７４が枠２の孔２２の上縁に接触し続けるため、上蓋５の振動による騒音を確実に防止することができる。
【００２８】
このような係止具７は、操作片７３において上向きの力を受けると、垂下片７２及び操作片７３が垂下片７２と固定片７１との境界７７を中心として回動するように弾性変形する。その結果、突起７４と周壁２１の孔２２との係合状態が解除され、上蓋５が開く（図５参照）。なお、本実施形態において、上蓋５を開けるために必要な力はおよそ２ｋｇｆ（１９．６Ｎ）〜５ｋｇｆ（４９Ｎ）である。
【００２９】
係止具７は、１つの部材で構成されるため、予め避難梯子装置１に組み込むこともできるし、既設の避難梯子装置に取り付けることも可能である。係止具７を既設の避難梯子装置に取り付けるには、係止具７を上蓋５に例えばネジ７６のような固定手段で固定するとともに、枠２の周壁２１において係止具７の突起７４に対応する位置に、例えばドリルのような穿孔手段で孔２２を穿てばよい。
【００３０】
［上蓋を開く手順］
図５を参照して、避難梯子装置１の上蓋５を開く手順を説明する。
図５（ａ）のように、係止具７によって上蓋５と枠２とが係止されている。この状態では、係止具７の突起７４は枠２（周壁２１）の孔２２に挿入されている。上述したように突起７４が上蓋５側を向くように傾いているため、上蓋５と枠２との係止状態は、安易に又は意図せずに解除されない。また、突起７４は、孔２２の上縁に当接し続けるので、上蓋５の振動による騒音が防止される。
【００３１】
係止具７の操作片７３を引き上げると、図５（ｂ）のように、係止具７が弾性変形し、固定片７１と垂下片７２との境界７７（図４参照）を中心に固定片７１及び操作片７３が回動する。その結果、係止具７の突起７４は枠２の孔２２から外れ、周壁２１の外側に引き出される。その際、突起７４の先端部７６の下蓋６側は、上述したように丸みを帯びた曲面形状を呈しているので、孔２２の下縁に引っ掛からない。これにより、突起７４の孔２２への出し入れ、ひいては上蓋５（係止具７）の枠２への係止作業及び解除作業をスムーズに行うことができる。
【００３２】
係止具の操作片７３を更に引き上げると、図５（ｃ）のように上蓋５が開く。これとともに下蓋６が開き、梯子３が階下に向かって伸びることになる。
【００３３】
このように、係止具７は、強風振動対策が施されていない避難梯子装置に対しても簡易に取り付けることができるから、既設の避難梯子装置に対して効果的な強風振動対策となる。これに対して、強風振動対策が複数のパーツから構成される場合（特許文献１参照）には、上蓋側と枠側の両方に係止部材を備え付ける必要があり、既設の避難梯子装置に追加することは困難である。本実施形態では、１個の係止具７を上蓋５に追加するだけでよいから、施工性及び施工コストに優れている。
【００３４】
以上、本発明の代表的な実施形態について説明したが、本発明はこれらに限定されるものではなく、種々の設計変更が可能であり、それらも本発明に含まれる。例えば、上記実施形態においては、突起７４の先端部７６が上蓋５側を向くように垂下片７２に対して傾いている態様について説明したが、そのような傾きが無くでも本発明の基本的な効果は得られる。例えば、垂下片７２から略垂直の方向に伸びていてもよい。
【符号の説明】
【００３５】
１・・・避難梯子装置、
２・・・枠、
３・・・梯子、
５・・・上蓋、
６・・・下蓋、
７・・・係止具、
２２・・・孔、
７２・・・垂下片、
７３・・・操作片、
７４・・・突起。
【図１】
2018112013.tif 000003
【図２】
2018112013.tif 000004
【図３】
2018112013.tif 000005
【図４】
2018112013.tif 000006
【図５】
2018112013.tif 000007